【手続補正書】
【提出日】平成18年1月30日(2006.1.30)
【手続補正１】
【補正対象書類名】明細書
【補正対象項目名】請求項１
【補正方法】変更
【補正の内容】
【請求項１】  体内に挿入可能な管体からなり、内部に、少なくとも三つのルーメンが設けられた管状本体と、細管からなり、該管状本体内の該三つのルーメンのうちの何れか一つのルーメン内に、軸方向に移動可能に挿入されて、先端部が、該管状本体に設けられた突出孔から外部に突出せしめられ、内部に供給された所定の薬液を該先端部から吐出する針状管体とを有し、該管状本体を体内に挿入位置せしめた状態下で、該針状管体の先端部を該管状本体の前記突出孔から突出せしめて、該体内の所定の組織に穿刺することにより、該針状管体を通じて、該薬液を該体内組織に注入し得るようにした薬液注入装置にして、  前記管状本体の軸方向に直角な断面形状が、円形形状の少なくとも外周の一部を径方向内方に凹ませた形状となるように、該管状本体の外周面に、その軸方向に延びる凹部を形成したことを特徴とする薬液注入装置。【手続補正２】
【補正対象書類名】明細書
【補正対象項目名】請求項２
【補正方法】変更
【補正の内容】
【請求項２】  体内に挿入可能な管体からなり、内部に、少なくとも三つのルーメンが設けられた管状本体と、細管からなり、該管状本体内の該三つのルーメンのうちの何れか一つのルーメン内に、軸方向に移動可能に挿入されて、先端部が、該管状本体に設けられた突出孔から外部に突出せしめられ、内部に供給された所定の薬液を該先端部から吐出する針状管体とを有し、該管状本体を体内に挿入位置せしめた状態下で、該針状管体の先端部を該管状本体の前記突出孔から突出せしめて、該体内の所定の組織に穿刺することにより、該針状管体を通じて、該薬液を該体内組織に注入し得るようにした薬液注入装置にして、  前記管状本体が、その軸方向に直角な断面上において、前記少なくとも三つルーメンのうちの何れか三つのルーメンのそれぞれの中心点を頂点として形成される三角形の各頂点に対応して各々位置せしめられた三つの凸状湾曲角部と、かかる三角形の各辺部に対応して各々位置せしめられて、該三つの凸状湾曲角部のうちの互いに隣り合うもの同士をそれぞれ連結する湾曲面または平面からなる三つの側面とのみにて形成された外周面を有して、構成されていることを特徴とする薬液注入装置。【手続補正３】
【補正対象書類名】明細書
【補正対象項目名】０００８
【補正方法】変更
【補正の内容】
【０００８】    【解決手段】  そして、本発明にあっては、かかる課題の解決のために、体内に挿入可能な管体からなり、内部に、少なくとも三つのルーメンが設けられた管状本体と、細管からなり、該管状本体内の該三つのルーメンのうちの何れか一つのルーメン内に、軸方向に移動可能に挿入されて、先端部が、該管状本体に設けられた突出孔から外部に突出せしめられ、内部に供給された所定の薬液を該先端部から吐出する針状管体とを有し、該管状本体を体内に挿入位置せしめた状態下で、該針状管体の先端部を該管状本体の前記突出孔から突出せしめて、該体内の所定の組織に穿刺することにより、該針状管体を通じて、該薬液を該体内組織に注入し得るようにした薬液注入装置において、前記管状本体の軸方向に直角な断面形状が、円形形状の少なくとも外周の一部を径方向内方に凹ませた形状となるように、該管状本体の外周面に、その軸方向に延びる凹部を形成したことを特徴とする薬液注入装置を、その要旨とするものである。【手続補正４】
【補正対象書類名】明細書
【補正対象項目名】００１２
【補正方法】変更
【補正の内容】
【００１２】  そして、本発明にあっては、上述せる如き技術的課題を解決するために、体内に挿入可能な管体からなり、内部に、少なくとも三つのルーメンが設けられた管状本体と、細管からなり、該管状本体内の該三つのルーメンのうちの何れか一つのルーメン内に、軸方向に移動可能に挿入されて、先端部が、該管状本体に設けられた突出孔から外部に突出せしめられ、内部に供給された所定の薬液を該先端部から吐出する針状管体とを有し、該管状本体を体内に挿入位置せしめた状態下で、該針状管体の先端部を該管状本体の前記突出孔から突出せしめて、該体内の所定の組織に穿刺することにより、該針状管体を通じて、該薬液を該体内組織に注入し得るようにした薬液注入装置において、前記管状本体が、その軸方向に直角な断面上において、前記少なくとも三つルーメンのうちの何れか三つのルーメンのそれぞれの中心点を頂点として形成される三角形の各頂点に対応して各々位置せしめられた三つの凸状湾曲角部と、かかる三角形の各辺部に対応して各々位置せしめられて、該三つの凸状湾曲角部のうちの互いに隣り合うもの同士をそれぞれ連結する湾曲面または平面からなる三つの側面とのみにて形成された外周面を有して、構成されていることを特徴とする薬液注入装置をも、また、その要旨とするものである。
【手続補正５】
【補正対象書類名】明細書
【補正対象項目名】００４６
【補正方法】変更
【補正の内容】
【００４６】  従って、図１と、針状管体１２と各ガイドワイヤ１４，１６のそれぞれの中心軸の位置を表す図３とから明らかなように、第一ガイドワイヤ１４は、第一ルーメン１８ａ内での軸方向前方側への移動により、カテーテル本体１０の前方側端部の先端開口部２０を通じて、前記平面：α上で、第一ルーメン１８ａ内から軸方向前方に向かって延出せしめられ得るようになっている。また、第二ガイドワイヤ１６は、第二ルーメン１８ｂ内での軸方向前方側への移動により、カテーテル本体１０の前方側端部の側孔２４を通じて、前記平面：α上で、第二ルーメン１８ｂ内から軸方向に対して側方に向かって延出せしめられ得るようになっている。更に、針状管体１２にあっては、第三ルーメン１８ｃ内での軸方向前方側への移動により、先端の針部１１が、突出孔２２を通じて、前記平面：αに直交する平面：β上で、第三ルーメン１８ｃ内から、第一ガイドワイヤ１４の延出方向と第二ガイドワイヤ１６の延出方向の何れの方向に対しても直角となる方向に向かって突出せしめられるようになっている。これらのことから明らかなように、本実施形態では、第一ルーメン１８ａと第二ルーメン１８ｂとにて、第一ガイドワイヤ用ルーメンと第二ガイドワイヤ用ルーメンが構成され、また第三ルーメン１８ｃにて、針状管体用ルーメンが構成されている。
【手続補正６】
【補正対象書類名】明細書
【補正対象項目名】００６１
【補正方法】変更
【補正の内容】
【００６１】  なお、かくの如き外周面形状を有するカテーテル本体１０の後方側部分では、針状管体１２の突出方向（図２中、下方）の最大幅となる、突出孔２２の形成側に位置する凸状湾曲角部５２の先端から、それに対向する側面５８までの距離：Ｘ1 が、約１．５ｍｍ程度とされている。また、針状管体１２の突出方向に対して直角な方向（図２中、左右方向）の最大幅となる、側面５８の両端に位置する二つの凸状湾曲角部４８，５０のそれぞれの先端同士の間の距離：Ｙ1 が約２．０ｍｍ程度とされている。これによって、カテーテル本体１０の後方側端部の幅が、針状管体１２の突出方向の幅よりも、針状管体１２の突出方向に対して直角な方向の幅の方が大きくされている。以て、針状管体１２の突出方向に容易に屈曲せしめられ得るようになっている。
【手続補正７】
【補正対象書類名】明細書
【補正対象項目名】００８２
【補正方法】変更
【補正の内容】
【００８２】  次に、針部１１が、心筋７２の病巣部の所定の深さ位置にまで進入したら、針状管体１２の移動が終了せしめられる。その後、針状管体１２の基部側部位におけるコネクタ３０に接続されたシリンジ３８から、心筋７２の再生を図るための細胞または増殖因子等を含む薬液が、針状管体１２の内孔内に導入される。そして、かかる薬液が、針部１１の先端開口部から外部に吐出せしめられることにより、心筋７２の病巣部内に注入される。
【手続補正８】
【補正対象書類名】明細書
【補正対象項目名】００８８
【補正方法】変更
【補正の内容】
【００８８】  さらに、本実施形態の薬液注入カテーテルにあっては、第一ガイドワイヤ１４が、カテーテル本体１０の後方側端部において、側方に開口する状態で設けられた挿入孔３４から、第一ルーメン１８ａ内に挿入されて、カテーテル本体１０の先端開口部２０を通じて、軸方向の前方に向かって真っ直ぐに延出せしめられている。また、第二ガイドワイヤ１６が、カテーテル本体１０の後端部において、そこに取り付けられたコネクタ２８の開口部から、第二ルーメン１８ｂ内に真っ直ぐに挿入されて、カテーテル本体１０の前方側端部において、側方に開口する状態で設けられた側孔２４を通じて、側方に向かって延出せしめられている。